(57)【要約】【課題】傾斜器本体から振り子や円形目盛盤をなくし、測定誤差を生じにくく、短時間で被測定物の傾斜を測定することが可能な傾斜測定器の提供。【解決手段】被測定面Ｈに沿って配置させる本体フレーム１と、被測定面Ｈに当接させる基準アーム２および伸縮式アーム３とを備え、基準アーム２および伸縮式アーム３は、本体フレーム１の両端に垂直かつ同一方向に設けられたものであり、伸縮式アーム３は、伸縮式アーム３の伸縮により移動する滑り尺と、伸縮式アームの水平度をみるための気泡計とを備える。基準アーム２および伸縮式アーム３の先端を被測定面Ｈに当接させて伸縮式アーム３を伸縮させ、伸縮式アームの気泡計に基づいて伸縮式アーム３の水平を調整すれば、滑り尺により被測定面Ｈの傾斜が測定できる。【選択図】        図６
2004212378.tif 000002
【特許請求の範囲】
【請求項１】
被測定面に沿って配置させる本体フレームと、前記被測定面に当接させる基準アームおよび伸縮式アームとを備え、
前記基準アームおよび伸縮式アームは、前記本体フレームの両端に垂直かつ同一方向に設けられたものであり、
前記伸縮式アームは、同伸縮式アームの伸縮により移動する滑り尺と、前記伸縮式アームの水平度をみるための気泡計とを備えたものである傾斜測定器。
【請求項２】
前記気泡計は、前記伸縮式アームの伸縮方向の水平度をみるためのものである請求項１記載の傾斜測定器。
【請求項３】
前記気泡計は、前記伸縮式アームの伸縮方向と直角方向の水平度をみるためのものである請求項１または２に記載の傾斜測定器。
【請求項４】
前記気泡計は、前記伸縮式アームの上下２面からそれぞれ視認可能なものである請求項１から３のいずれかに記載の傾斜測定器。
【請求項５】
前記伸縮式アームは、同伸縮式アームの伸縮を駆動する駆動機構を備えたものである請求項１から４のいずれかに記載の傾斜測定器。
【請求項６】
前記駆動機構は、回動部材の回動運動を前記伸縮式アームの伸縮運動に変換伝達するものである請求項５記載の傾斜測定器。
【請求項７】
前記基準アームは、前記被測定面への当接部の前記本体フレームの外側に突起を備えたものである請求項１から６のいずれかに記載の傾斜測定器。
【請求項８】
前記本体フレームは、同本体フレームの水平度をみるための気泡計を備えたものである請求項１から７のいずれかに記載の傾斜測定器。
【発明の詳細な説明】
【０００１】
【発明の属する技術分野】
本発明は、柱、床や工作物等の傾斜を測定するための傾斜測定器に関する。
【０００２】
【従来の技術】
建物の柱や床等の傾斜の状態を見る方法としては、水平器や下げ振りを用いて行うのが一般的である。水平器は気泡によって傾斜の状態を確認するものであり、下げ振りは定規の測定値によって傾斜の状態を判断するものである。現在、１ｍ当たりの傾斜値を測定する傾斜器として、非特許文献１に記載の下げ振り式傾斜器（商品名：バーチカル測傾器Ｖ２）や非特許文献２に記載の円形目盛盤式傾斜器（商品名：ダイヤル下げ振りＶＨ）が知られている。
【０００３】
非特許文献１に記載の下げ振り式傾斜器は、被測定面に本体を当接させ、本体上部から吊り下げた振り子の位置を本体下部の目盛板によって読み取ることによって、被測定面の鉛直方向からの傾斜を測定するものである。また、非特許文献２に記載の円形目盛盤式傾斜器は、被測定面に本体を当接させ、本体に内蔵した振り子の傾斜を表示する円形目盛盤を読み取るものである。
【０００４】
【非特許文献１】
“バーチカル測傾器Ｖ２”，［ｏｎｌｉｎｅ］，株式会社アジアコンサルタント，［２００２年１０月１５日検索］，インターネット＜ＵＲＬ：ｈｔｔｐ：／／ｗｗｗ．ａｓｉａ−ｃｔ．ｃｏｍ／ｒｅｓｅａｒｃｈ／ｋｅｉ．ｈｔｍ＞
【非特許文献２】
“ダイヤル下げ振りＶＨ”，［ｏｎｌｉｎｅ］，株式会社尾崎製作所，［２００２年１０月１５日検索］，インターネット＜ＵＲＬ：ｈｔｔｐ：／／ｗｗｗ．ｐｅａｃｏｃｋｏｚａｋｉ．ｊｐ／ｓｕｂ０１＿８９．ｈｔｍ＞
【０００５】
【発明が解決しようとする課題】
上記下げ振り式傾斜器の場合、水平傾斜測定時には本体に備えた気泡計により測定可能であるが、鉛直傾斜測定時には上記振り子を準備しなければならず、水平傾斜測定と鉛直傾斜測定とを交互に行いにくい。また、傾斜器の移動の際、振り子が他の物に接触し、その物や振り子を損傷する可能性がある。
【０００６】
また、目盛板と振り子を垂らす水糸とが接触し、これらの間に摩擦が生じた場合、測定値に誤差が生じることがある。さらに、屋外で測定した場合、振り子が風などの影響を受けやすいため、測定に時間がかかるといった問題がある。
【０００７】
一方、円形目盛盤式傾斜器の場合、測定前に目盛盤や測定針の調整を必ず行わなければならない。また、測定針が振動に対して敏感に反応するため、測定針がぶれるといった難点があり、測定誤差を生じやすい。
【０００８】
そこで、本発明においては、傾斜器本体から振り子や円形目盛盤をなくし、測定誤差を生じにくく、短時間で被測定物の傾斜を測定することが可能な傾斜測定器を提供することを目的とする。
【０００９】
【課題を解決するための手段】
本発明の傾斜測定器は、被測定面に沿って配置させる本体フレームと、被測定面に当接させる基準アームおよび伸縮式アームとを備え、基準アームおよび伸縮式アームは、本体フレームの両端に垂直かつ同一方向に設けられたものであり、伸縮式アームは、伸縮式アームの伸縮により移動する滑り尺と、伸縮式アームの水平度をみるための気泡計とを備えたものである。
【００１０】
本発明の傾斜測定器では、本体フレームの両端に垂直かつ同一方向に設けられた基準アームおよび伸縮式アームを被測定面に当接させ、伸縮式アームを伸縮させることにより、この伸縮式アームの気泡計により伸縮式アームの水平を調整する。そして、伸縮式アームが水平となったとき、本体フレームは被測定面に沿って鉛直方向に配置される。このときの伸縮式アームの伸縮の度合い、すなわち滑り尺の読みが被測定物の鉛直方向に対する傾斜を表す。
【００１１】
ここで、気泡計は、伸縮式アームの上下２面からそれぞれ視認可能なものであることが望ましい。これにより、本発明の傾斜測定器は、基準アームを下側にし、伸縮式アームを上側にして測定しても、基準アームを上側にし、伸縮式アームを下側にして測定しても、それぞれの場合に伸縮式アームの上面に配置される気泡計により被測定物の水平度を確認することができる。なお、気泡計は、１個でも複数個でもよい。
【００１２】
伸縮式アームは、伸縮式アームの伸縮を駆動する駆動機構を備えたものであることが望ましい。この駆動機構は、回動部材の回動運動を伸縮式アームの伸縮運動に変換伝達するものにより構成できる。このような駆動機構を備えることにより、伸縮式アームの伸縮を微調整することができ、伸縮式アームの水平をより容易に調整することが可能となる。
【００１３】
基準アームは、被測定面への当接部の本体フレームの外側に突起を備えたものであることが望ましい。この突起を柱や壁などの被測定面と敷居や床などとの角に当てて測定することにより、基準アームと敷居や床などとの間に隙間ができるため、この突起を支点として基準アームを傾斜させることができる。
【００１４】
本体フレームは、本体フレームの水平度をみるための気泡計を備えたものであることが望ましい。これにより、本体フレームの両端に垂直かつ同一方向に設けられた基準アームおよび伸縮式アームを被測定面に当接させ、伸縮式アームを伸縮させることにより気泡計が水平を示したとき、本体フレームが水平な状態であることを確認することができ、このときの伸縮式アームの伸縮の度合い、すなわち滑り尺の読みが被測定物の水平方向に対する傾斜を表す。
【００１５】
【発明の実施の形態】
図１は本発明の実施の形態における傾斜測定器の全体を示す図であって、（ａ）は正面図、（ｂ）は右側面図である。図２は図１の伸縮式アームの詳細を示す図であって、（ａ）は図１の平面図、（ｂ）は（ａ）のＡ−Ａ線断面図である。
【００１６】
図１において、本実施形態における傾斜測定器は、長さ１０００ｍｍの柱状の本体フレーム１と、この本体フレーム１の両端に垂直かつ同一方向にそれぞれ設けられた基準アーム２および伸縮式アーム３とを備える。本体フレーム１の中央には、この本体フレーム１の水平度をみるための気泡計４を備える。基準アーム２は所定の長さを有し、その先端部には本体フレーム１の外側に向かって曲面状の突起５を備える。
【００１７】
図２に示すように、伸縮式アーム３は、本体フレーム１に固定されたスライダ枠３ａと、スライダ枠３ａ内を摺動するスライダ３ｂとを備える。スライダ３ｂの上面には、被測定面の傾斜の度合いを示す目盛６ａが付されている。一方、スライダ枠３ａには、このスライダ３ｂの目盛６ａのゼロ基準となる位置に基準線６ｂが付されている。
【００１８】
このような伸縮式アーム３は、スライダ３ｂがスライダ枠３ａ内を摺動することにより伸縮する。すなわち、スライダ枠３ａおよびスライダ３ｂにより滑り尺が構成され、スライダ３ｂの目盛６ａのゼロ基準が基準線６ｂと一致したとき、伸縮式アーム３と基準アーム２の本体フレーム１からの長さが同じとなるように設定してある。
【００１９】
また、図示しないが、伸縮式アーム３は、スライダ３ｂを駆動するためのラックおよびピニオンからなる駆動機構を備える。この駆動機構は、スライダ枠３ａに設けた回動部材としてのダイヤル７の回動運動をピニオンを介してラックに伝達することにより、スライダ３ｂの摺動すなわち伸縮式アーム３の伸縮運動に変換するものである。
【００２０】
また、スライダ枠３ａの中央の基準線６ｂに対応する位置には、伸縮式アーム３の伸縮方向の水平度をみるための筒型の気泡計８を備えている。気泡計８はスライダ３ｂの上面から視認できるように設けられている。気泡計８のカバーには、水平時の気泡８ａの位置を中心としたときの、気泡８ａの両端に接するようにサイドライン８ｂ，８ｃを表示している。気泡８ａは伸縮式アーム３の伸縮方向に移動し、サイドライン８ｂ，８ｃ間に気泡８ａがあるとき、伸縮式アーム３はその伸縮方向について水平となる。なお、気泡計８のカバーにはサイドライン８ｂ，８ｃ以外の余分なラインは表示していない。
【００２１】
なお、本実施形態における傾斜測定器には、図３に示すように、さらにスライダ３ｂの下面から視認可能な気泡計９を設けることもできる。気泡計９は、気泡計８と同様の気泡９ａおよびサイドライン９ｂ，９ｃを備えている。このように、伸縮式アーム３の上下２面に気泡計８，９をそれぞれ備えることにより、基準アーム２を下側にし、伸縮式アーム３を上側にして測定しても、基準アーム２を上側にし、伸縮式アーム３を下側にして測定しても、それぞれの場合に伸縮式アーム３の上面に配置される気泡計８，９から水平度を確認することができる。
【００２２】
また、気泡計は、図３に示すように伸縮式アーム３の上下２面にそれぞれ設ける以外に、１個の気泡計（図示せず。）を伸縮式アーム３の上下２面に露出させて設けることにより、伸縮式アーム３の上下２面からそれぞれ視認可能とすることもできる。
【００２３】
また、本実施形態における傾斜測定器は、図４に示すように、さらに伸縮式アーム３の伸縮方向と直角方向の水平度をみるための気泡計１０を備えた構成とすることもできる。図４に示す例では、気泡計１０は、本体フレーム１の伸縮式アーム３側の端部に設けている。気泡計１０についても、気泡計８と同様の気泡１０ａおよびサイドライン１０ｂ，１０ｃを備えている。
【００２４】
気泡１０ａは伸縮式アーム３の伸縮方向と垂直方向に移動し、サイドライン１０ｂ，１０ｃの間に気泡１０ａがあるとき、伸縮式アーム３はその伸縮方向と垂直方向について水平となる。すなわち、気泡計１０によって伸縮式アーム３の伸縮方向と垂直方向の水平度を確認することで、本体フレーム１を容易に鉛直方向に配置することが可能となる。
【００２５】
あるいは、図５に示すように、本実施形態における傾斜測定器は、さらに伸縮式アーム３の伸縮方向およびその直角方向の水平度の両方をみることが可能な円型の気泡計１１を備えた構成とすることもできる。図５に示す例では、気泡計１１は、本体フレーム１の伸縮式アーム３側の端部に設けている。気泡計１１は気泡１１ａを備え、水平時の気泡１１ａを囲むようにその半球状のカバーに円形のサイドライン１１ｂを備えている。
【００２６】
なお、気泡計１０，１１についても、前述の気泡計９と同様に伸縮式アーム３の上下２面にそれぞれ設けるか、１個の気泡計を伸縮式アーム３の上下２面に露出させて設けることにより、伸縮式アーム３の上下両面から視認可能な状態に設けることができる。これにより、基準アーム２と伸縮式アーム３とを上下逆にしても気泡計１０，１１により本体フレーム１の鉛直状態を確認することができる。
【００２７】
上記構成の傾斜測定器による傾斜測定方法について、以下に図６から図９を参照して説明する。図６は鉛直傾斜測定の例を示している。
【００２８】
図６（ａ）に示すように、敷居・床など（以下、「敷居」と称す。）の水平面上に立つ柱・壁など（以下、「柱」と称す。）の被測定面Ｈの鉛直からの傾斜を測定する場合、本実施形態における傾斜測定器の基準アーム２の突起５を敷居と柱の交点に突き合わせる。このとき、基準アーム２の先端は柱の被測定面Ｈに当接している。
【００２９】
そして、本実施形態における傾斜測定器の本体フレーム１の他端にある伸縮式アーム３の先端を柱の被測定面Ｈの上方に当接させ、気泡計８の気泡８ａがサイドライン８ｂ，８ｃ間に配置されるように、ダイヤル７を回動させて伸縮式アーム３の長さを調節する。
【００３０】
気泡計８の気泡８ａがサイドライン８ｂ，８ｃ間に配置されたとき、すなわち基準アーム２および伸縮式アーム３の両方の先端が被測定面Ｈに当接した状態で伸縮式アーム３が水平となったとき、これらの基準アーム２および伸縮式アーム３がその両端に垂直に設けられた本体フレーム１は、被測定面に沿って鉛直方向に配置された状態となる。
【００３１】
このときのスライダ枠３ａの基準線６ｂと一致したスライダ３ｂの目盛６ａの読みが、被測定面Ｈの傾斜の度合いを示している。なお、このスライダ３ｂの目盛６ａは、傾斜測定器の上部に配置されているため、目盛６ａを読む際には姿勢を変える必要がなく、またカバーのサイドライン８ｂ，８ｃによって気泡８ａの位置を容易に確認することができる。
【００３２】
また、前述のように伸縮式アーム３の上下２面から視認可能な気泡計８，９を備えた傾斜測定器では、被測定物が高い位置にある場合に、図６とは上下逆の状態、すなわち基準アーム２を上側にし、伸縮式アーム３を下側にして測定することが可能である。このとき、下側の伸縮式アーム３の上面に配置されることになる気泡計９を、伸縮式アーム３の上方から確認して正確に伸縮式アーム３の水平度を確認することができるため、高い塀や壁等でも容易にその傾斜を計測することが可能である。
【００３３】
また、本実施形態における傾斜測定器が、気泡計１０，１１を備えるものであれば、気泡計１０，１１によって前述のように本体フレーム１が鉛直状態であるかどうかを容易に確認することができるため、測定誤差や再測定等による測定値の変動、または測定者個人の持つ癖等による測定ミスを回避することが可能である。
【００３４】
なお、気泡計１０，１１はいずれか一方のみ設けた構成とすることもできるし、両方を備えた構成とすることもできる。また、気泡計１０，１１は傾斜測定器に予め固定した構成であっても着脱可能な構成であってもよい。
【００３５】
図７および図８は柱の傾きと伸縮式アーム３の長さとの関係を示している。図７のＢ線は柱が敷居に対して９０°（垂直／鉛直）に立っている状態を示しており、Ａ線およびＣ線はそれぞれ鈍角および鋭角に傾斜している状態を示している。
【００３６】
図８の（ｂ）に示すように、柱の傾きが敷居に対して９０°のとき（図７のＢ線に示す状態）、スライダ枠３ａの基準線６ｂとスライダ３ｂの目盛６ａのゼロ基準が一致する。このとき、基準アーム２と伸縮式アーム３の本体フレーム１からの長さは同じとなり、本体フレーム１は被測定面Ｈに沿って鉛直方向に配置されるとともに、被測定面Ｈと平行となる。つまり、被測定面Ｈは敷居に対して９０°であることが分かる。
【００３７】
一方、図８の（ａ）に示すように、柱の傾きが敷居に対して９０°より大きいとき（図７のＡ線に示す状態）、スライダ枠３ａの基準線６ｂとスライダ３ｂの目盛６ａの正の位置（伸縮式アーム３の伸び方向）が一致する。図示例では＋２０ｍｍの位置で一致しており、伸縮式アーム３が基準アーム２よりも２０ｍｍ長い状態である。このとき、本体フレーム１は被測定面Ｈに沿って鉛直方向に配置されているが、被測定面Ｈに対して＋２０ｍｍ／１０００ｍｍ傾斜している。つまり、被測定面Ｈは敷居に対して＋２０ｍｍ／１０００ｍｍ傾斜していることが分かる。
【００３８】
また、図８の（ｃ）に示すように、柱の傾きが敷居に対して９０°より小さいとき（図７のＣ線に示す状態）、スライダ枠３ａの基準線６ｂとスライダ３ｂの目盛６ａの負の位置（伸縮式アーム３の縮み方向）が一致する。図示例では−２０ｍｍの位置で一致しており、伸縮式アーム３が基準アーム２よりも２０ｍｍ短い状態である。このとき、本体フレーム１は被測定面Ｈに沿って鉛直方向に配置されているが、被測定面Ｈに対して−２０ｍｍ／１０００ｍｍ傾斜している。つまり、被測定面Ｈは敷居に対して−２０ｍｍ／１０００ｍｍ傾斜していることが分かる。
【００３９】
なお、図６（ａ）の例では、本実施形態における傾斜測定器の基準アーム２の突起５を敷居と柱の交点に突き合わせて測定しているが、図６（ｂ）に示すように、地上に立つブロック塀などの被測定面Ｈの鉛直傾斜測定を行う場合には、ブロック塀と地上との交点に突起５を突き合わせることなく、被測定面Ｈに基準アーム２の先端を当接させて測定すればよい。
【００４０】
また、本実施形態における傾斜測定器は、図９に示すように水平傾斜測定に使用することも可能である。図９は敷居・床などの被測定面Ｈの水平からの傾斜を測定する例を示している。この場合、基準アーム２および伸縮式アーム３を被測定面Ｈに当接させ、伸縮式アーム３を伸縮させることにより気泡計４が水平を示したとき、本体フレーム１が水平な状態であることを確認することができる。このときのスライダ枠３ａの基準線６ｂと一致したスライダ３ｂの目盛６ａの読みは、被測定面Ｈの水平方向に対する傾斜を表している。また、スライダ３ｂの目盛６ａのゼロ基準が基準線６ｂと一致したとき、すなわち伸縮式アーム３の長さと基準アーム２の長さとが同一のときに、気泡計４が水平を示していれば、被測定面が水平であることを確認することができる。なお、被測定面Ｈから立ち上がる柱・壁などがある場合には、この被測定面Ｈと柱・壁などとの交点に突起５を突き合わせて測定する。
【００４１】
以上のように、本実施形態における傾斜測定器では、傾斜器本体から従来の振り子や円形目盛盤をなくしているが、本体フレーム１の基準アーム２および伸縮式アーム３を被測定面Ｈに当接させ、気泡計８をみながら伸縮式アーム３を伸縮させてその水平を調整することにより、短時間で容易に被測定物Ｈの鉛直傾斜を測定することが可能である。また、本体フレーム１の向きを、図６の状態から図９の状態へ９０°変えて使用することにより、すぐに水平傾斜の測定を行うことが可能であり、鉛直傾斜・水平傾斜を交互に測定することも容易に行える。
【００４２】
また、従来の振り子や円形目盛盤がないため、屋外作業時の風による振り子の振れによる測定誤差、水糸と目盛盤の摩擦による測定誤差や、測定針の振動による測定誤差などが生じない。振り子、円形目盛盤や測定針の調整を行う必要もなく、調整の狂いも生じないため、誰でも簡単に鉛直傾斜の測定を行うことが可能である。測定はダイヤル７を回動させるだけの簡単操作である。また、測定時に振り子や測定針の停止を待たずに作業できるため、短時間で素早く鉛直傾斜を測定することが可能である。さらに、振り子用の水糸がないため、持ち運びが容易であり、この水糸が切れることによって従来発生していた作業中断がない。
【００４３】
また、傾斜の度合いが滑り尺を構成するスライダ３ｂの目盛６ａによって１メートルに対してミリ単位の数値で高精度に表されるため、このような精度の高い測定値を要求される、一般の建築作業、家屋診断調査や公共工事における事業損失調査に対応することができる。従来、気泡計を利用して垂直・水平の状態のみを確認する測定器は存在するが、本実施形態における傾斜測定器のように測定値を計測できるものはない。
【００４４】
また、基準アーム２の被測定面Ｈへの当接部の本体フレーム１の外側に突起５があることから、この突起５を利用し、柱などの被測定面Ｈと敷居などの角の交点に当てて測定することができる。このとき、基準アーム２が直接敷居などに接触せず、基準アーム２と敷居などとの間に隙間ができるため、この突起５を当てた角を支点として基準アーム２を傾斜させることができる。したがって、伸縮式アーム３の伸縮時に基準アーム２の突起５の位置が変わらず支点となるため、容易に測定を行うことができる。特に、本実施形態における突起５は曲面状の突起であるため、測定時にこの突起５を当てた角を支点として本体フレーム１を振りやすく、さらに容易に測定を行うことができる。
【００４５】
【発明の効果】
本発明により、以下の効果を奏することができる。
【００４６】
（１）被測定面に沿って鉛直方向に配置させる本体フレームと、被測定面に当接させる基準アームおよび伸縮式アームとを備え、基準アームおよび伸縮式アームは、本体フレームの両端に垂直かつ同一方向に設けられたものであり、伸縮式アームは、伸縮式アームの伸縮により移動する滑り尺と、伸縮式アームの水平度をみるための気泡計とを備えたものであることにより、短時間で容易に被測定物の鉛直傾斜を測定することが可能となり、振り子や円形目盛盤などもないため、測定誤差を生じない。
【００４７】
（２）気泡計が、伸縮式アームの上下２面からそれぞれ視認可能なものであることにより、被測定物の傾斜測定時に、基準アームを下側にし、伸縮式アームを上側にして測定しても、基準アームを上側にし、伸縮式アームを下側にして測定しても、それぞれの場合に伸縮式アームの上面に配置される気泡計により被測定物の水平度を確認することができる。これにより、被測定物が高い位置にある場合には、基準アームを上側にし、伸縮式アームを下側にして測定することが可能となり、下側の伸縮式アームの上面に配置される気泡計を、伸縮式アームの上方から確認して正確に伸縮式アームの水平度を確認することができるため、高い塀や壁等でも容易にその傾斜を計測することが可能である。
【００４８】
（３）振り子や円形目盛盤などがないため、振り子、円形目盛盤や測定針の調整を行う必要もなく、調整の狂いも生じない。そのため、誰でも簡単に鉛直傾斜の測定を行うことが可能である。また、測定時に振り子や測定針の停止を待たずに作業できるため、短時間で素早く鉛直傾斜を測定することが可能である。さらに、振り子用の水糸がないため、持ち運びが容易であり、この水糸が切れることによって従来発生していた作業中断がない。
【００４９】
（４）傾斜の度合いが滑り尺によって高精度に表されるため、このような精度の高い測定値を要求される、一般の建築作業、家屋診断調査や公共工事における事業損失調査に対応することができる。従来、気泡計を利用して垂直・水平の状態のみを確認する測定器は存在するが、本実施形態における傾斜測定器のように測定値を計測できるものはない。
【００５０】
（５）基準アームが、被測定面への当接部の本体フレームの外側に突起を備えたものであることにより、突起を柱などの被測定面と敷居などの角の交点に当て、この突起を当てた角を支点として基準アームを傾斜させて容易に測定できる。伸縮式アームの伸縮時には、基準アームの突起の位置が変わらず支点となるため、容易に測定を行うことができる。
【００５１】
（６）本体フレームは、本体フレームの水平度をみるための気泡計を備えたものであることにより、上記のように鉛直傾斜を容易に測定できることに加えて、すぐに水平傾斜の測定を行うことが可能であり、鉛直傾斜・水平傾斜を交互に測定することも可能である。
【図面の簡単な説明】
【図１】本発明の実施の形態における傾斜測定器の全体を示す図であって、（ａ）は正面図、（ｂ）は右側面図である。
【図２】図１の伸縮式アームの詳細を示す図であって、（ａ）は図１の平面図、（ｂ）は（ａ）のＡ−Ａ線断面図である。
【図３】伸縮式アームの別の実施形態を示す詳細図であって、（ａ）は図２の（ａ）に対応する平面図、（ｂ）は（ａ）のＢ−Ｂ線断面図、（ｃ）は（ａ）の下面図である。
【図４】伸縮式アームの別の実施形態を示す詳細図であって、（ａ）は図２の（ａ）に対応する平面図、（ｂ）は（ａ）のＣ−Ｃ線断面図である。
【図５】伸縮式アームの別の実施形態を示す図２の（ａ）に対応する平面図である。
【図６】鉛直傾斜測定の例を示す図であって、（ａ）は敷居・床などの平面上に立つ柱・壁などの被測定面の測定例を示す側面図、（ｂ）は地上に立つブロック塀などの被測定面の測定例を示す側面図である。
【図７】柱の傾きと伸縮式アームの長さとの関係を示す説明図である。
【図８】柱の傾きと伸縮式アームの長さとの関係を示す説明図である。
【図９】水平傾斜測定の例を示す側面図である。
【符号の説明】
１  本体フレーム
２  基準アーム
３  伸縮式アーム
３ａ  スライダ枠
３ｂ  スライダ
４，８，９，１０，１１  気泡計
５  突起
６ａ  目盛
６ｂ  基準線
７  ダイヤル
８ａ，９ａ，１０ａ，１１ａ  気泡
８ｂ，８ｃ，９ｂ，９ｃ，１０ｂ，１０ｃ，１１ｂ  サイドライン
Ｈ  被測定面
【図１】
2004212378.tif 000003
【図２】
2004212378.tif 000004
【図３】
2004212378.tif 000005
【図４】
2004212378.tif 000006
【図５】
2004212378.tif 000007
【図６】
2004212378.tif 000008
【図７】
2004212378.tif 000009
【図８】
2004212378.tif 000010
【図９】
2004212378.tif 000011